(57)【要約】【課題】包装物品から包装プラスチックフィルムをワンステップで確実且つ容易に引き剥がすことができるようにする。【解決手段】第１の幅を有するプラスチックフィルムを、第１の幅より狭い第２の幅を有する物品Ｐの前面、上面、後面及び下面に巻きつけてシュリンク包装し、プラスチックフィルムの幅方向両側の物品に巻きつけられない余った部分が物品Ｐの両側面を包み、該物品Ｐ両側面の略中央にプラスチックフィルムの側縁により開口部３を形成するシュリンク包装体１であって、開口部３の少なくとも上半部の周縁に沿って、かつ該周縁から一定距離を置いて複数の孔４を設ける。【選択図】図１
2015003739.tif 000002
【特許請求の範囲】
【請求項１】
第１の幅を有するプラスチックフィルムが、第１の幅より狭い第２の幅を有する物品の前面、上面、後面及び下面に巻きつけられてシュリンク包装され、前記プラスチックフィルムの幅方向両側の前記物品に巻きつけられずに余った部分が物品の両側面を包み、該物品両側面の略中央に前記プラスチックフィルムの側縁により開口部を形成するシュリンク包装体であって、
前記物品両側面において、前記開口部の少なくとも上半部の周縁に沿って、かつ該周縁から一定距離を置いて複数の孔を有することを特徴とするシュリンク包装体。
【請求項２】
前記複数の孔は、シュリンク包装時に、前記プラスチックフィルムの熱収縮に対する内部応力により略円孔形状となるように、シュリンク包装前の前記プラスチックフィルムの側縁に沿って、かつ該フィルム側縁から一定距離を置いて形成された、前記フィルム側縁に対して直交する方向に長さを有するスリットであることを特徴とする請求項１に記載のシュリンク包装体。
【請求項３】
前記開口部周縁から前記複数の孔までの一定距離は１０ｍｍ〜２５ｍｍであることを特徴とする請求項１又は２に記載のシュリンク包装体。
【請求項４】
前記複数の孔は、直径が０．５ｍｍ〜５ｍｍであることを特徴とする請求項１乃至３のいずれか一項に記載のシュリンク包装体。
【請求項５】
前記複数の孔は、相隣接する孔相互の間隔が５ｍｍ〜５０ｍｍであることを特徴とする請求項１乃至４のいずれか一項に記載のシュリンク包装体。
【請求項６】
前記複数の孔は少なくとも３つ設けられることを特徴とする請求項１乃至５のいずれか一項に記載のシュリンク包装体。
【請求項７】
前記プラスチックフィルムの素材は軟質プラスチックであることを特徴とする請求項１乃至６のいずれか一項に記載のシュリンク包装体。
【発明の詳細な説明】
【技術分野】
【０００１】
本発明は、飲料等を充填した紙パック等を所定個数まとめた物品をプラスチックフィルムの熱収縮作用を使用して包装したシュリンク包装体に関し、より詳しくは、包装物品から包装プラスチックフィルムをワンステップで容易且つ確実に引き剥がすことができるシュリンク包装体に関する。
【背景技術】
【０００２】
現在、例えば食品飲料業界においては、食品・飲料等の紙パックやペットボトル等の製品を確実に梱包し、メーカー工場から衛生的かつ荷重をあまり増やさずに出荷搬送するために、所定個数を単位としてプラスチックフィルムでシュリンク包装することが行われている。
【０００３】
配送拠点・小売店・エンドユーザ等の搬送先では、被包装品を取り出す際に包装プラスチックフィルムは剥がされる。このプラスチックフィルムを手で剥ぐ作業は、プラスチックフィルムがある程度の強度を有することから作業者にとって煩わしく負担を感じる作業となっている。このため、搬送先において、包装物品を傷付けるリスクを認識しつつも、カッター等を使用してプラスチックフィルムを除去することがよく行われており、結局、カッター等により紙パック等の製品容器を傷つけてしまうことが多い。このことは、飲料購入者からメーカーに寄せられる苦情のうち、カッター傷由来の紙パックの膨張や漏れ等に関する苦情が年間１〜２割を占めていることに表れている。
【０００４】
このようなことから、近年においては、カッターを使わずにプラスチックフィルムを負担なく容易に手で剥離できるようにするための様々な対策が提案されてきている。例えば、特許文献１に開示されるように、予め設けたミシン目に沿ってプラスチックフィルムを破断することにより、プラスチックフィルムを簡単に剥離できるようにしたシュリンク包装体が提案されている。
【０００５】
すなわち、特許文献１には、プラスチックフィルムを一定の方向に供給して物品のまわりに巻きつけ、プラスチックフィルムの幅方向両側の物品に巻きつけられずに余った部分は物品の当該両側面に折り込んだ状態で物品をシュリンク包装するシュリンク包装体が開示されている。物品の上面中央には、プラスチックフィルムの供給方向に直交する方向で物品の長手方向に延びる２列のミシン目が予め形成され、２列のミシン目の長手方向中央には、当該２列のミシン目を横切るように延びて両者を結ぶ切り込みが形成されている。
【０００６】
このプラスチックフィルムを剥離するには、ミシン目の長手方向中央の切り込みに指を入れ、切り込みの左又は右いずれか一方のフィルム片を把持してミシン目に沿って引っ張ることにより、２列のミシン目の間のフィルム片をミシン目に沿って剥ぎ取り、次いで、切り込みの左又は右の他方のフィルム片を引っ張ることにより、物品上面中央の２列のミシン目の間のフィルム片を物品の長手方向全長に亘り除去することができる。
【０００７】
しかしながら、上記した特許文献１の場合、包装物品からプラスチックフィルムを引き剥がすには、物品上面中央の切り込みに指をかける第１工程、切り込みの片側（例えば右側）のミシン目間の帯状フィルム片を剥がす第２工程、切り込み片側（右側）の２列のミシン目の外側の物品上面に残ったプラスチックフィルムを外方に剥がす第３工程、切り込みの他の片側（例えば左側）のミシン目間の帯状フィルム片を剥がす第４工程、切り込みの他の片側（左側）の２列のミシン目の外側の物品上面に残ったプラスチックフィルムを外方に剥がす第５工程を、少なくとも必要とする。したがって、プラスチックフィルム開包時の剥離ステップが多く、作業上非常に手間が掛かるという問題がある。
【０００８】
また、特許文献１にあっては、包装物品の上面におけるシュリンク包装体には、プラスチックフィルムの熱収縮に対する内部応力が、即ち、当該上面の包装体フィルムを周囲の４辺方向から外方へ引っ張る力が作用している。この応力は、いずれかの辺と平行に延びるミシン目に対して当該ミシン目と直交する左右両方向から作用する。このため、相互に隣接するミシン目同士が繋がり大きな孔になり、それが順次拡がるなどして、ミシン目が開包前に意図せずに裂けてしまう可能性がある。この現象はミシン目が交差している部分があると特に生じ易い。
【０００９】
さらに、プラスチックフィルムによるシュリンク包装時に、ミシン目を包装物品の上面中央に位置合わせする必要があり、その調整が難しいという問題もある。
【先行技術文献】
【特許文献】
【００１０】
【特許文献１】特開２００３−３２７２７１号公報
【発明の概要】
【発明が解決しようとする課題】
【００１１】
本発明は、包装物品からプラスチックフィルムを剥離する際に、ワンステップで、容易且つ確実に物品上面のプラスチックフィルムを全面に亘って引き剥がすことができ、ミシン面等が開包前に意図せずに裂けてしまうおそれの無いシュリンク包装体を提供することを課題とする。
【課題を解決するための手段】
【００１２】
上述した課題を解決するために、本発明に係るシュリンク包装体にあっては、第１の幅を有する長尺のプラスチックフィルムが、第１の幅より狭い第２の幅を有する物品の前面、上面、後面及び下面に巻きつけられてシュリンク包装され、前記プラスチックフィルムの幅方向両側の前記物品に巻きつけられずに余った部分が物品の両側面を包み、該物品両側面の略中央に前記プラスチックフィルムの側縁により開口部を形成するシュリンク包装体であって、
前記物品両側面において、前記開口部の少なくとも上半部の周縁に沿って、かつ該周縁から一定距離を置いて複数の孔を有することを特徴とする。
【００１３】
前記複数の孔は、シュリンク包装時に、前記プラスチックフィルムの熱収縮に対する内部応力により略円孔形状となるように、シュリンク包装前の前記プラスチックフィルムの側縁に沿って、かつ該フィルム側縁から一定距離を置いて形成された、前記フィルム側縁に対して直交する方向に長さを有するスリットである。
【００１４】
前記複数の孔は、前記開口部周縁からの一定距離を１０ｍｍ〜２５ｍｍとする。
【００１５】
前記複数の孔は、直径を０．５ｍｍ〜５ｍｍとする。
【００１６】
前記複数の孔は、相隣接する孔相互の間隔を５ｍｍ〜５０ｍｍとする。
【００１７】
前記複数の孔は少なくとも３つ設ける。
【００１８】
前記プラスチックフィルムの素材は軟質プラスチックとする。
【発明の効果】
【００１９】
本発明によれば、包装物品の両側面を覆うプラスチックフィルムの開口部に手をかけて上方に強く引っ張るだけで、包装物品の上面のプラスチックフィルムを全面に亘り、ワンステップで容易且つ確実に引き剥がすことができる。
【００２０】
すなわち、本発明においては、物品両側面の略中央にプラスチックフィルムの側縁により形成された開口部の少なくとも上半部の周縁に沿って、複数の孔が、該周縁から一定距離を置いて設けられるため、上記した従来品のような、開包前の意図しない破れを防止することができる。
【００２１】
また、開口部周縁はプラスチックフィルムの収縮による厚いプラスチック塊で形成されており、複数の孔は開口部周縁に隣接して設けられないので、開口部に手をかけて持ち上げて運ぶ際に開口部周縁が破れる心配はない。プラスチックフィルムを剥ぐときは、搬送のために持ち上げる力よりも大きな引っ張り力を作用させれば、開口部にかけた手の両脇に位置する孔が開口部周縁へ向かって裂けていくので、片手でも容易に開包することができる。
【００２２】
複数の孔は、シュリンク包装前に前記開口部周縁に沿って放射状に形成された縦型スリットがシュリンク包装時のプラスチックフィルムの熱収縮に対する応力としての張力により略円孔形状になったものである。そのため、シュリンク包装前のプラスチックフィルムの幅方向両端部に縦型スリットを形成し、その際、スリット長さ、スリット相互の間隔及びフィルムの幅方向両端部からの距離等をプラスチックフィルムの収縮率を加味して設定することにより、シュリンク後には、開口部周縁に沿った所望の位置にほぼ的確に略円孔を配置することができる。
【００２３】
前記複数の孔は、前記開口部周縁からの前記一定距離が１０ｍｍ〜２５ｍｍであるので、開口部周縁がプラスチックフィルムの収縮による厚いプラスチック塊で形成されていることと併せて、開口部に手をかけて持ち運ぶ程度の引っ張り力では、開口部周縁に亀裂を生じさせることがない。
【００２４】
前記複数の孔は、孔径を０．５ｍｍ〜５ｍｍとすることにより、持ち運び時の引っ張り力よりも大きな引っ張り力を開口部に作用させることでシュリンク包装体を容易に剥ぐことができる。
【００２５】
前記複数の孔は、隣接する孔相互の間隔を５ｍｍ〜５０ｍｍとしたことにより、従来品のように隣接する孔が連通して開包前に意図せずに裂けてしまうことがない。
【００２６】
前記複数の孔は少なくとも３つ設けられるので、プラスチックフィルムを剥離する際に、物品側面の開口部にかける手が片手の場合と両手の場合との両方に対応することができる。すなわち、一側面の開口部に片手をかけて剥ぐ場合は、かけた片手の両脇に一つずつ計２つの孔が配置されていれば、ワンステップで物品上面のフィルムを全面に亘り剥ぐことができ、一側面の開口部に両手をかけて剥ぐ場合は、ほぼ真上の孔が一つあれば、ワンステップで物品上面のフィルムの中央を他側面近くまでほぼ物品の全長に亘り裂くことができる。
【００２７】
前記プラスチックフィルムは軟質プラスチックであるので、伸縮性ある材質による剥離性の向上したシュリンク包装体を提供することができる。
【図面の簡単な説明】
【００２８】
【図１】本発明を実施するための一形態を示し、シュリンク後の包装物品の斜視図である。
【図２】（ａ）は包装物品の側面図、（ｂ）は開口部に手をかけて持ち上げたときのシュリンク包装体の状態を示す包装物品の側面図である。
【図３】（ａ）はシュリンク包装体を開口部に手をかけて剥いだときの操作初期のシュリンク包装体の状態を示す包装物品の側面図、（ｂ）はシュリンク包装体を包装物品上面まで剥いだ状態を示す包装物品の側面図である。
【図４】シュリンク前のプラスチックフィルムにスリットを穿設する切り込み工程を示すフィルムの流れの下流側からの概略斜視図である。
【図５】シュリンク包装の作業工程の概略を示し、（ａ）は包装物品を上下のプラスチックフィルムによってスリーブ包装する工程の斜視図、（ｂ）はスリーブ包装された包装物品がシュリンクトンネルを通過する工程を側方から視た図、（ｃ）はシュリンク後の包装物品の斜視図である。
【図６】開口部周縁から孔までの距離と剥ぐのに必要な力との関係を温度層別に表した棒グラフである。
【図７】同様に、開口部周縁から孔までの距離と剥ぐのに必要な力との関係を温度層別に表した折れ線グラフである。
【図８】包装物品を開口部に手をかけて持ち上げた高さと、開口部周縁にかかる負荷との関係を表したグラフである。
【図９】（ａ）はシュリンク包装前のプラスチックフィルム１ａに切込まれたスリット４′の拡大図、（ｂ）はシュリンク包装体の開口部３が引っ張られたときに変形した孔４の拡大図である。
【発明を実施するための形態】
【００２９】
以下、図面を参照して本発明の実施の一形態を詳細に説明する。
本発明に係るシュリンク包装体１は、図１に示すように、六面を有する包装物品Ｐの、プラスチックフィルム１ａ，１ｂの延出方向Ｘを基準とする前面、上面、後面及び下面の各面が全面に亘ってプラスチックフィルムで覆われており、両側面だけは略中央に開口部が形成されており開口部の周囲のみがプラスチックフィルムで部分的に覆われている。
なお、この実施形態においては、プラスチックフィルムを上下２枚からなるものとして説明するが、本発明は、下側フィルム１ｂが包装物品Ｐの前方で上方に立ち上がり、物品Ｐの前面、上面、後面及び下面の各面を全面に亘って覆うように巻きつけられる１枚のプラスチックフィルムを使用するものも含むものとする。
【００３０】
包装物品Ｐをシュリンク包装する工程を図５に示す。
図５（ａ）に示すように、プラスチックフィルム１ａ，１ｂは、上側フィルム１ａと下側フィルム１ｂとの上下２枚の第１の幅Ｗ１を有する長尺のプラスチックフィルムによって構成される。包装物品Ｐは、フィルム１ａ，１ｂ間に上下から挟み込まれた状態でフィルムの第１の幅Ｗ１より狭い第２の幅Ｗ２を有する。フィルム１ａ，１ｂは、不図示のヒートシールバーにより、両フィルム１ａ，１ｂの延出方向を基準として前端部同士、後端部同士がヒートシールされてヒートシール線２（図５（ｃ）参照）に沿って接合される。これにより、包装物品Ｐには、フィルム１ａ，１ｂの延出方向Ｘを基準として前面、上面、後面及び下面にフィルム１ａ，１ｂが巻きつけられて、いわゆるスリーブ包装される。
【００３１】
図５（ｂ）に示すように、スリーブ包装された物品Ｐは、コンベアＲによって搬送され、コンベアＲの下流側に配したシュリンクトンネルＱを通過する。シュリンクトンネルＱ内で約１２０℃〜１５０℃の熱風を１５秒〜２５秒の間物品Ｐにあてると、プラスチックフィルム１ａ，１ｂが約―３０％の寸法変化率で熱収縮し、物品Ｐがシュリンク包装される。このとき、フィルム１ａ，１ｂの各幅方向両側の物品Ｐに巻きつけられずに側方に張り出した部分は、当該側面の略中央にフィルム１ａ，１ｂの側縁により囲まれた開口部３を形成すると同時に、物品Ｐの両側面の外周部分を部分的に包み込むように覆う。このようにして形成されたシュリンク包装体１を図５（ｃ）に示す。
【００３２】
上記プラスチックフィルムの素材としては、伸縮性のある軟質プラスチックであれば使用可能であるが、低密度ポリエチレン（ＬＤＰＥ）、直鎖状低密度ポリエチレン（ＬＬＤＰＥ）等の軟質ポリエチレンが好適である。２０μ〜６０μ程度の厚みの延伸フィルム（薄膜）状の低密度ポリエチレン（ＬＤＰＥ）の場合、約１２０℃〜１５０℃の温度でシュリンク処理したときの寸法変化率は―３０％程度である。
【００３３】
図２（ａ）に示すように、包装物品Ｐの各側面において、ヒートシール線２より上側のシュリンク包装体１には、開口部３の周縁に沿って、かつ該開口部周縁から一定距離を置いて複数の孔４が等間隔で設けられている。
これら複数の孔４は、シュリンク包装前にプラスチックフィルム１ａの側縁に沿って一列に、かつプラスチックフィルム１ａの側縁と直交する方向に長さを有するように切込まれた複数のスリット４‘がシュリンク包装時にプラスチックフィルムの熱収縮に対する内部応力により略円孔形状になり、開口部３周縁に沿って放射状に配置されたものである。なお、シュリンク包装前におけるスリット４′の形成については、図４を参照して後述する。
【００３４】
以上のように包装物品Ｐの各側面において、開口部３の周縁からに沿って設けられた複数の孔の作用について説明する。
シュリンク包装された物品Ｐを搬送するとき、すなわち、図２（ｂ）に示すように、開口部３に手をかけて物品Ｐを持ち上げて運ぶとき、引っ張り力Ｆが開口部３の上半部のシュリンク包装体に作用する。しかし、開口部３周縁は、シュリンク収縮工程における開口部方向からの内部応力が小さいことから他の箇所と比べて収縮が大きく、厚く硬くなるため、また、複数の孔４は開口部３の周縁から一定距離を置いて配置されているため、開口部周縁は強度が高い。したがって、複数の孔４を開口部３周縁から一定距離を置いて配設することにより、開口部３周縁からの距離、孔径、孔間隔、プラスチックフィルムの材質、厚さ、等を適切に選択すれば、搬送時の引っ張り力Ｆによりシュリンク包装体１の開口部周縁が意図せずに裂かれることがなく、孔４が開口部３に手をかけて行われる物品Ｐの移動運搬作業時の障害となることはない。
【００３５】
シュリンク包装体１を包装物品Ｐから引き剥がすときには、包装物品Ｐを持ち上げて運ぶときの引っ張り力Ｆよりも大きな引張り力Ｆ′（＞Ｆ）が開口部３の上半部のシュリンク包装体１に作用する。この大きな引張り力Ｆ′の作用により、以下の経過を辿ってシュリンク包装体１が裂ける。まず、図２（ｂ）に示されるように、開口部３にかけた手指Ｈの両脇に位置する二つの孔４が、開口部３周縁近傍のシュリンク包装体１に生じる皺に沿って略斜め上下に引っ張られて略楕円形状に変形する（図９（ｂ）参照）。すると、この二つの略楕円形状に変形した孔４の上下両端（図９（ｂ）中“ｃ”，“ｄ”）の中間部で開口部３に最も近い部分（図９（ｂ）中“ｂ”）が裂ける。この略楕円形状に変形した孔４の上下両端（図９（ｂ）中“ｃ”，“ｄ”）の中間部（図９（ｂ）中“ａ”，“ｂ”）は、シュリンク前に上側フィルム１ａに切込まれたスリット４′の両端（図９（ａ）中“ａ′”，“ｂ′”）に相当する。孔４の裂け目は、図中Ｔ１で示す方向に、開口部３に向かって直線的に延び、ついには図３（ａ）に示すように、開口部３の周縁を破断する。ここで、手指Ｈの中に残った開口部周縁の一部を持ってそのまま上に引っ張り上げると、手指Ｈの両脇に位置し、皺に沿って引っ張られて細長の二つの略楕円形状に変形した孔４の両端（図９（ｂ）中“ｃ”，“ｄ”）の中間で開口部３に最も遠い部分（図９（ｂ）中“ｂ”）を起点とする、図中Ｔ２で示す方向に延び、二列のシュリンク包装体１の裂け目が包装物品Ｐの側面から境界を経て上面に広がる。このように、図３（ｂ）に示す如く、本発明による開口部３から一定距離を置いて配置される孔４は、上面の全てのシュリンク包装体１をほとんど一回の操作で除去することを可能にし、包装物品Ｐの上面側を片手で容易に開包することに大きく寄与するものである。なお、図３（ａ）、（ｂ）において、分かり易く図示する都合上、手指Ｈを省略している。
【００３６】
次に、本実施形態における孔４を巡る各種寸法及び配置構成について説明する。
孔径：
上記したように、これら複数の孔４は、シュリンク包装前にプラスチックフィルム１ａの側縁に沿って切り込まれたスリット４′が、シュリンク包装時にプラスチックフィルムの熱収縮に対する内部応力により略円孔形状となり、開口部３周縁に沿って放射状に配置されたものである。これら孔４のシュリンク前のスリット４′の長さは０．５ｍｍ〜５ｍｍ、好ましくは１ｍｍ〜３ｍｍである。この長さはシュリンク後も殆んど変わらず、孔４の孔径とほぼ等しい。孔の径が０．５ｍｍより小さいと、孔径が０．５ｍｍに満たないと孔４を設けた意味がなくなり、開口部３に手をかけてシュリンク包装体１を引き裂くときに、孔を包装体が裂ける起点とすることが困難となる。また、孔の径が５ｍｍより大きいと、孔４の一部が包装物品Ｐの上面との境界にかかってしまう恐れがでてくる。
【００３７】
開口部周縁から孔までの距離（ｄ）：
本実施例においては、包装物品Ｐの側面において、開口部３の周囲を覆うシュリンク包装体１の、包装物品Ｐの上面と境界から開口部３周縁までの距離（Ｄ）を約３０ｍｍとしている。この場合、開口部３の周縁から孔４までの距離（ｄ）は１０ｍｍ〜２５ｍｍとすることが好ましい。そのために、シュリンク前において、物品に巻きつけられるプラスチックフィルム１ａの物品側方への突出量を約４０ｍｍとし、複数のスリット４′の切り込み位置をプラスチックフィルム１ａの側縁から約１５ｍｍ〜３５ｍｍ内側の位置とする。こうすることにより、シュリンク後における、包装物品Ｐの上面と境界から開口部３周縁までの距離（Ｄ）及び開口部３の周縁から孔４までの距離（ｄ）はフィルムの熱収縮により若干短くなり、それぞれを約３０ｍｍ及び１０ｍｍ〜２５ｍｍとすることができる。このシュリンク前後の距離（Ｄ、ｄ）の変化は、シュリンク時の寸法変化率がー３０％の平均的低密度ポリエチレン（ＬＤＰＥ）からなるプラスチックフィルム１ａ，１ｂを使用した場合のものである。孔４と開口部３の周縁までの距離（ｄ）が１０ｍｍに満たないと、開口部３周縁の強度が損なわれ、例えば、開口部３に片手をかけて物品Ｐを搬送するときの比較的弱い引っ張り力Ｆにより、開口部３周縁に配置された孔４が裂けて開口部３周縁に裂け目が伝播し、シュリンク包装体１が意図せずに裂かれてしまう恐れがある。逆にこの距離（ｄ）が約２５ｍｍを超えると、孔４により開口部３周縁の強度を適度に低下させることができず、シュリンク包装体１を一回の操作で容易に除去することが難しくなる。
【００３８】
孔間隔（ｓ）：
開口部３周縁に沿って隣接する孔４相互の間隔（ｓ）については、５〜５０ｍｍとすることが好ましい。５ｍｍを下回ると、意図せずに孔４同士が連通乃至連結して孔が拡大してしまうおそれがある。孔４サイズのばらつきをも考慮して孔４同士の間隔は最低５ｍｍ必要である。また、孔４相互の間隔（ｓ）が５０ｍｍを超えると、開口部３に手をかけてシュリンク包装体１を引き裂くときに、孔４が開包に関与しない箇所に配置される可能性がでてくる。
なお、本実施形態において、開口部３周縁に沿って設ける孔４の数は特に限定されるものではない。しかし、包装物品Ｐの左右いずれか一方の側面にある開口部３に手をかけて包装物品Ｐのシュリンク包装体を引き剥がす場合、一方の開口部３に片手をかける場合は少なくとも手の両脇に一つずつ計２つの孔４が必要であり、一方の開口部３に両手をかけてシュリンク包装体を引き剥がす場合にはほぼ真上に孔４が一つあればよい。この両方の場合に対応可能にするために孔４は少なくとも３つ配置するとよい。孔４を３つにする場合、孔の間隔（ｓ）は約５０ｍｍとし、両側の孔４間の間隔が約１００ｍｍになるようにすれば、開口部３にかけた片手のちょうど両脇に孔４が一つずつ配置されることになる。
【００３９】
次に、以上の実施形態における孔４の形成方法について説明する。
図４に示すように、上側フィルム１ａの幅方向両側縁から所定距離離れた内側に左右一対のカッター歯車１１が配置されている。これらのカッター歯車１１は、上側フィルム１ａに接しており、フィルム１ａが製品の流れの下流側にある後工程によりＸ方向に引き出されることで従動回転し、歯車に設置されたカッター刃がフィルムに喰い込むことで、一列の複数のスリット４′をフィルム１ａの両端側縁に沿って等間隔に形成する。これにより、左右のカッター歯車１１は、同期を必要としない設計となっており、パーツの管理ポイントが少なくなっている。カッター歯車１１には、複数の切り込み用カッター刃１１ａと、カッター刃１１ａ相互間に複数配置された略カマボコ形状の突起１１ｂとが設けられている。切り込み用カッター刃１１ａは、例えば、３個〜４個の突起１１ｂごとに各１個設けてある。突起１１ｂは、受けローラ１２との間にフィルム１ａを挟み付け、フィルム１ａが引き出されることに従って、カッター歯車１１を回転させる。その際、切り込み用カッター刃１１ａが、上側フィルム１ａに切り込みを入れスリット４′を形成する。カッター刃１１ａは、フィルム１ａの側縁の延長方向に対して直交する方向に配向されているため、スリット４′はフィルム１ａの側縁の延長方向に対して直交する方向に長さを有する。
【００４０】
幅方向両側縁に沿ってスリット４′が切り込まれた上側フィルム１ａは、下側フィルム１ｂと共に物品Ｐをシュリンク包装する工程に進む。先に図５（ａ）（ｂ）（ｃ）を参照して説明したところに従いシュリンク包装が行われ、包装物品Ｐを得る。
【００４１】
以下に、図６〜図８を参照して、開口部３の周縁近傍における孔４の配置箇所とシュリンク包装体１の剥ぎ易さとの関係について行ったテストについて説明する。
テストに使用したプラスチックフィルム１ａ、１ｂは、シュリンク包装前の横幅（図５のＷ１）を４３０ｍｍとし、上側フィルム１ａの幅方向両側縁に沿って長さ２ｍｍのスリット４′を約２５ｍｍの間隔で切り込んだ。上側フィルム１ａは４種類用意し、それぞれスリット４′を設けた位置、即ち上側フィルム１ａの両側縁からの距離を、それぞれ約１５ｍｍ、約２０ｍｍ、約２５ｍｍ、約３０ｍｍと異ならせた。
一方、テストに使用した物品Ｐは、幅（図５のＷ２）３３５ｍｍ、重量約５．３Ｋｇの同一諸元の４個の物品Ｐである。
これら４個の物品を、それぞれ上記４種類の上側フィルム１ａとスリット４′を有しない下側フィルム１ｂによりスリーブ包装した。このとき、それぞれの物品Ｐの両側方にフィルム１ａ、１ｂが約４５ｍｍ突出するようにした。かくて、スリーブ包装した物品Ｐを図５（ｂ）に示されるシュリンクトンネルＱ内でシュリンク包装した。
【００４２】
シュリンク包装によるフィルム収縮の結果、包装物品Ｐの両側面において、シュリンク包装体１の上面との境界から開口部３周縁までの距離（Ｄ）は約３０ｍｍとなった。開口部３周縁に沿って設けた複数の孔の孔径はシュリンク包装前のスリット４′と変わらずに２ｍｍであった。開口部３周縁から孔４までの距離（ｄ）は、上側フィルム１ａの両側縁からスリット４’までの距離に応じて、４種類の物品毎に異なり、それぞれ約１０ｍｍ、約１５ｍｍ、約２０ｍｍ、約２５ｍｍとなった。
このようにして得られた４種類の包装物品Ｐについて、−１０℃、３℃、２１℃、５０℃の異なる温度環境における、開口部３周縁から孔４までの距離（ｄ）とシュリンク包装体１の剥ぎ易さとの関係を調べた。
【００４３】
このテストの結果、温度環境が高温になればなるほど、また開口部３の周縁からの距離（ｄ）が短くなればなるほど剥ぎ易く、逆に、低温になればなるほど、また距離（ｄ）が長くなればなるほど開口部３周縁の強度が増して破れ難くなることが明確に示された。例えば、３℃の温度条件下では、距離（ｄ）が２０ｍｍあると、少し手指Ｈに負荷が残る７５Ｎ程度の力でちょうどよく剥ぐことができた。距離（ｓ）が２５ｍｍになると、８５Ｎ程度の力が必要となり、負荷が大きくなったが許容範囲と思われた。また、２１℃の温度条件下では、距離（ｓ）が１０ｍｍだと、包装物品Ｐの運搬時に必要とされる引張強度５０Ｎよりも僅かに大きな力で剥ぐことができ、軽い不安を感じた。以上に基づき、開口部３周縁からの距離（ｄ）は温度条件に応じて調整可能であることを考慮した結果、開口部３周縁からの距離（ｄ）の許容範囲、すなわち、開口部３に手指Ｈをかけて物品を持ち上げて運搬するときには剥けず、意思をもって剥ぎ取るときにだけ剥ぐことができる距離（ｄ）は１０ｍｍ〜２５ｍｍであり、１５ｍｍ〜２０ｍｍがより好ましく、２０ｍｍ前がベストの距離であることが分かった。
【００４４】
なお、テストにおいては、幅（図５のＷ２）３３５ｍｍ、重量約５．３Ｋｇの物品Ｐを使用して上記結果を得たが、物品Ｐの寸法、形状及び重量が異なれば、それに応じて「開口部３に手指Ｈをかけて物品を持ち上げて運搬するときには剥けず、意思をもって剥ぎ取るときにだけ剥ぐことができる、開口部３周縁から孔４までの距離（ｄ）」も変化するものと思われる。しかしながら、そのように変化した距離（ｄ）は、孔４が物品Ｐの側面に設けられたシュリンク包装体１の開口部３周縁から一定距離を置いて設けられている限りにおいて、本発明に含まれるものである。比較のために、開口部３の周縁から所定距離に孔がないシュリンク包装体を使用して同様のテストを試みたが、１５０Ｎ以上の力をもってしてもシュリンク包装体を引裂くことはできなかった。
【００４５】
ところで、このテストに使用されたシュリンク包装体に設けられたスリットの長さ即ち孔径は、小さいと外観上の見た目が良いが、２ｍｍ以下では刃の加工に手間がかかり、大幅なコストアップにつながるため、２ｍｍにてテストを行った。このスリットの形成時に、フィルム側縁に対して直交方向に長さを有するスリットをその長さ方向に複数連ならせるべきかどうか、即ち開口部３周縁に沿って放射状に配置される孔を放射方向に複数連ならせるべきかどうかについても検討した。その結果、２つ以上スリットを連ならせると熱収縮時に隣接するスリット（孔）同士が結合して大孔になる可能性を排除できないことが分かった。このため、シュリンク包装前にフィルム側縁に沿って設けるスリットは一定間隔（ｓ）で１つずつとした。シュリンク包装後の剥ぎ易さに関し、開口部３周縁に沿って一定間隔（ｓ）の各位置に設けられる孔の数は一つでも剥き易さは十分に確保された。
【００４６】
なお、開口部３周縁に孔４を設ける包装物品Ｐの側面は、一方の側面だけで十分であるが、開口部３の周囲における孔４の存在が分かり難いため、包装物品Ｐの両側面に設けた方が良い。
【００４７】
図７は、図６と同様の、−１０℃から５０℃に至る異なる保管温度における、開口部３周縁から孔４までの距離（ｄ）と、剥ぐのに必要な力(引張強度：Ｎ)との関係を、折れ線グラフの形で示すものである。これによると、開口部３周縁から孔４までの距離（ｄ）は、−１０℃から５０℃までの広い保管温度範囲に亘って引張強度５０Ｎ〜９５Ｎを保持できる２０ｍｍ前がベストの距離であり、保管温度に応じて距離（ｄ）を調整することを考慮して、１０ｍｍ〜２５ｍｍが許容範囲となる。
【００４８】
図８は、包装物品Ｐを床から持ち上げて運搬するときに、開口部３に手指Ｈをかけた際の持ち上げる高さと開口部３周縁にかかる負荷(引張強度：Ｎ)のテストデータである。このとき、シュリンク包装体１の開口部３に掛かる力は略引張強度５０Ｎであることが示されている。
【符号の説明】
【００４９】
Ｐ        包装物品
Ｑ        シュリンクトンネル
Ｒ        コンベア
Ｈ        手指
１        シュリンク包装体
１ａ      上側フィルム
１ｂ      下側フィルム
２        ヒートシール線
３        開口部
４        孔
４′      スリット
１１      カッター歯車
１１ａ    カッター刃
１１ｂ    突起
１２      受けローラ
【図１】
2015003739.tif 000003
【図２】
2015003739.tif 000004
【図３】
2015003739.tif 000005
【図４】
2015003739.tif 000006
【図５】
2015003739.tif 000007
【図９】
2015003739.tif 000008
【図６】
2015003739.tif 000009
【図７】
2015003739.tif 000010
【図８】
2015003739.tif 000011
【手続補正書】
【提出日】平成25年6月19日(2013.6.19)
【手続補正１】
【補正対象書類名】明細書
【補正対象項目名】００３５
【補正方法】変更
【補正の内容】
【００３５】
シュリンク包装体１を包装物品Ｐから引き剥がすときには、包装物品Ｐを持ち上げて運ぶときの引っ張り力Ｆよりも大きな引張り力Ｆ′（＞Ｆ）が開口部３の上半部のシュリンク包装体１に作用する。この大きな引張り力Ｆ′の作用により、以下の経過を辿ってシュリンク包装体１が裂ける。まず、図２（ｂ）に示されるように、開口部３にかけた手指Ｈの両脇に位置する二つの孔４が、開口部３周縁近傍のシュリンク包装体１に生じる皺に沿って略斜め上下に引っ張られて略楕円形状に変形する（図９（ｂ）参照）。すると、この二つの略楕円形状に変形した孔４の上下両端（図９（ｂ）中“ｃ”，“ｄ”）の中間部で開口部３に最も近い部分（図９（ｂ）中“ｂ”）が裂ける。この略楕円形状に変形した孔４の上下両端（図９（ｂ）中“ｃ”，“ｄ”）の中間部（図９（ｂ）中“ａ”，“ｂ”）は、シュリンク前に上側フィルム１ａに切込まれたスリット４′の両端（図９（ａ）中“ａ′”，“ｂ′”）に相当する。孔４の裂け目は、図中Ｔ１で示す方向に、開口部３に向かって直線的に延び、ついには図３（ａ）に示すように、開口部３の周縁を破断する。ここで、手指Ｈの中に残った開口部周縁の一部を持ってそのまま上に引っ張り上げると、手指Ｈの両脇に位置し、皺に沿って引っ張られて細長の二つの略楕円形状に変形した孔４の両端（図９（ｂ）中“ｃ”，“ｄ”）の中間で開口部３に最も遠い部分（図９（ｂ）中“ａ”）を起点として図中Ｔ２で示す方向に延びるシュリンク包装体１の裂け目が包装物品Ｐの側面から境界を経て上面に広がる。このように、図３（ｂ）に示す如く、本発明による開口部３から一定距離を置いて配置される孔４は、上面の全てのシュリンク包装体１をほとんど一回の操作で除去することを可能にし、包装物品Ｐの上面側を片手で容易に開包することに大きく寄与するものである。なお、図３（ａ）、（ｂ）において、分かり易く図示する都合上、手指Ｈを省略している。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
シュリンク包装体であって、
このシュリンク包装体を構成するのは、物品及びプラスチックフィルムであり、
前記物品が有するのは、上面及び側面であり、
前記プラスチックフィルムが覆っているのは、前記上面であり、
前記プラスチックフィルムが前記側面上において形成するのは、開口部である、ものにおいて、
前記プラスチックフィルムが有するのは、孔であり、前記孔が設けられているのは、前記開口部の周縁近傍で、かつ、少なくとも前記上面側である、もの。
【請求項２】
請求項１のシュリンク包装体であって、
前記孔の数は、複数である、もの。
【請求項３】
請求項１又は２のシュリンク包装体であって、
前記側面は、一対の面であり、
前記孔が設けられているのは、前記一対の面の双方の上である、もの。
【請求項４】
請求項１乃至３の何れかのシュリンク包装体であって、
前記開口部の機能は、持ち手であり、
前記孔の機能は、開包である、もの。
【請求項５】
シュリンク包装体の製造方法であって、
前記方法を構成するのは、被覆工程及びシュリンク工程であり、
前記被覆工程で覆うのは、物品の上面であり、前記上面を覆うのは、プラスチックフィルムであり、前記プラスチックフィルムがその端部に有するのは、スリットであり、
前記シュリンク工程でシュリンクさせるのは、前記プラスチックフィルムであり、それによって、前記物品の側面上において形成するのは、開口部であり、前記開口部の周縁近傍で、かつ、少なくとも前記上面側において形成するのは、孔であり、前記孔は、前記スリットが広がったものである、こと。
【請求項６】
請求項５の製造方法であって、
前記スリットの数は、複数である、こと。
【請求項７】
請求項６の製造方法であって、
前記被覆工程前において、前記複数のスリットが並ぶ方向と平行をなすのは、前記物品の搬送方向である、こと。
【請求項８】
請求項５乃至７の何れかの製造方法であって、
当該方法を更に構成するのは、切り込み工程であり、
前記切り込み工程で切り込まれるのは、前記プラスチックフィルムであり、それによって形成するのは、前記スリットである、こと。
【手続補正２】
【補正対象書類名】明細書
【補正対象項目名】全文
【補正方法】変更
【補正の内容】
【発明の詳細な説明】
【技術分野】
【０００１】
本発明は、飲料等を充填した紙パック等を所定個数まとめた物品をプラスチックフィルムの熱収縮作用を使用して包装したシュリンク包装体に関し、より詳しくは、物品から包装プラスチックフィルムをワンステップで容易且つ確実に引き剥がすことができるシュリンク包装体に関する。
【背景技術】
【０００２】
現在、例えば食品飲料業界においては、食品・飲料等の紙パックやペットボトル等の製品を確実に梱包し、メーカー工場から衛生的かつ荷重をあまり増やさずに出荷搬送するために、所定個数を単位としてプラスチックフィルムでシュリンク包装することが行われている。
【０００３】
配送拠点・小売店・エンドユーザ等の搬送先では、物品を取り出す際に包装プラスチックフィルムは剥がされる。このプラスチックフィルムを手で剥ぐ作業は、プラスチックフィルムがある程度の強度を有することから作業者にとって煩わしく負担を感じる作業となっている。このため、搬送先において、物品を傷付けるリスクを認識しつつも、カッター等を使用してプラスチックフィルムを除去することがよく行われており、結局、カッター等により紙パック等の製品容器を傷つけてしまうことが多い。このことは、飲料購入者からメーカーに寄せられる苦情のうち、カッター傷由来の紙パックの膨張や漏れ等に関する苦情が年間１〜２割を占めていることに表れている。
【０００４】
このようなことから、近年においては、カッターを使わずにプラスチックフィルムを負担なく容易に手で剥離できるようにするための様々な対策が提案されてきている。例えば、特許文献１に開示されるように、予め設けたミシン目に沿ってプラスチックフィルムを破断することにより、プラスチックフィルムを簡単に剥離できるようにしたシュリンク包装体が提案されている。
【０００５】
すなわち、特許文献１には、プラスチックフィルムを一定の方向に供給して物品のまわりに巻きつけ、プラスチックフィルムの幅方向両側の物品に巻きつけられずに余った部分は物品の当該両側面に折り込んだ状態で物品をシュリンク包装するシュリンク包装体が開示されている。物品の上面中央には、プラスチックフィルムの供給方向に直交する方向で物品の長手方向に延びる２列のミシン目が予め形成され、２列のミシン目の長手方向中央には、当該２列のミシン目を横切るように延びて両者を結ぶ切り込みが形成されている。
【０００６】
このプラスチックフィルムを剥離するには、ミシン目の長手方向中央の切り込みに指を入れ、切り込みの左又は右いずれか一方のフィルム片を把持してミシン目に沿って引っ張ることにより、２列のミシン目の間のフィルム片をミシン目に沿って剥ぎ取り、次いで、切り込みの左又は右の他方のフィルム片を引っ張ることにより、物品上面中央の２列のミシン目の間のフィルム片を物品の長手方向全長に亘り除去することができる。
【０００７】
しかしながら、上記した特許文献１の場合、包装された物品からプラスチックフィルムを引き剥がすには、物品上面中央の切り込みに指をかける第１工程、切り込みの片側（例えば右側）のミシン目間の帯状フィルム片を剥がす第２工程、切り込み片側（右側）の２列のミシン目の外側の物品上面に残ったプラスチックフィルムを外方に剥がす第３工程、切り込みの他の片側（例えば左側）のミシン目間の帯状フィルム片を剥がす第４工程、切り込みの他の片側（左側）の２列のミシン目の外側の物品上面に残ったプラスチックフィルムを外方に剥がす第５工程を、少なくとも必要とする。したがって、プラスチックフィルム開包時の剥離ステップが多く、作業上非常に手間が掛かるという問題がある。
【０００８】
また、特許文献１にあっては、包装された物品の上面におけるプラスチックフィルムには、プラスチックフィルムの熱収縮に対する内部応力が、即ち、当該上面の包装体フィルムを周囲の４辺方向から外方へ引っ張る力が作用している。この応力は、いずれかの辺と平行に延びるミシン目に対して当該ミシン目と直交する左右両方向から作用する。このため、相互に隣接するミシン目同士が繋がり大きな孔になり、それが順次拡がるなどして、ミシン目が開包前に意図せずに裂けてしまう可能性がある。この現象はミシン目が交差している部分があると特に生じ易い。
【０００９】
さらに、プラスチックフィルムによるシュリンク包装時に、ミシン目を物品の上面中央に位置合わせする必要があり、その調整が難しいという問題もある。
【先行技術文献】
【特許文献】
【００１０】
【特許文献１】特開２００３−３２７２７１号公報
【発明の概要】
【発明が解決しようとする課題】
【００１１】
本発明は、物品からプラスチックフィルムを剥離する際に、ワンステップで、容易且つ確実に物品上面のプラスチックフィルムを全面に亘って引き剥がすことができ、ミシン面等が開包前に意図せずに裂けてしまうおそれの無いシュリンク包装体を提供することを課題とする。
【課題を解決するための手段】
【００１２】
上述した課題を解決するために、本発明に係るシュリンク包装体にあっては、第１の幅を有する長尺のプラスチックフィルムが、第１の幅より狭い第２の幅を有する物品の前面、上面、後面及び下面に巻きつけられてシュリンク包装され、前記プラスチックフィルムの幅方向両側の前記物品に巻きつけられずに余った部分が物品の両側面を包み、該物品両側面の略中央に前記プラスチックフィルムの側縁により開口部を形成するシュリンク包装体であって、
前記物品両側面において、前記開口部の少なくとも上半部の周縁に沿って、かつ該周縁から一定距離を置いて複数の孔を有することを特徴とする。
【００１３】
前記複数の孔は、シュリンク包装時に、前記プラスチックフィルムの熱収縮に対する内部応力により略円孔形状となるように、シュリンク包装前の前記プラスチックフィルムの側縁に沿って、かつ該フィルム側縁から一定距離を置いて形成された、前記フィルム側縁に対して直交する方向に長さを有するスリットである。
【００１４】
前記複数の孔は、前記開口部周縁からの一定距離を１０ｍｍ〜２５ｍｍとする。
【００１５】
前記複数の孔は、直径を０．５ｍｍ〜５ｍｍとする。
【００１６】
前記複数の孔は、相隣接する孔相互の間隔を５ｍｍ〜５０ｍｍとする。
【００１７】
前記複数の孔は少なくとも３つ設ける。
【００１８】
前記プラスチックフィルムの素材は軟質プラスチックとする。
【発明の効果】
【００１９】
本発明によれば、物品の側面を覆うプラスチックフィルムの開口部に手をかけて上方に強く引っ張るだけで、物品の上面のプラスチックフィルムを全面に亘り、ワンステップで容易且つ確実に引き剥がすことができる。
【００２０】
すなわち、本発明においては、物品の側面の略中央にプラスチックフィルムの側縁により形成された開口部の、少なくとも上半部の周縁に沿って、複数の孔が、該周縁から一定距離を置いて設けられるため、上記した従来品のような、開包前の意図しない破れを防止することができる。
【００２１】
また、開口部周縁はプラスチックフィルムの収縮による厚いプラスチック塊で形成されており、複数の孔は開口部周縁に隣接して設けられないので、開口部に手をかけて持ち上げて運ぶ際に開口部周縁が破れる心配はない。プラスチックフィルムを剥ぐときは、搬送のために持ち上げる力よりも大きな引っ張り力を作用させれば、開口部にかけた手の両脇に位置する孔が開口部周縁へ向かって裂けていくので、片手でも容易に開包することができる。
【００２２】
複数の孔は、シュリンク包装前に前記開口部周縁に沿って放射状に形成された縦型スリットがシュリンク包装時のプラスチックフィルムの熱収縮に対する応力としての張力により略円孔形状になったものである。そのため、シュリンク包装前のプラスチックフィルムの幅方向両端部に縦型スリットを形成し、その際、スリット長さ、スリット相互の間隔及びフィルムの幅方向両端部からの距離等をプラスチックフィルムの収縮率を加味して設定することにより、シュリンク後には、開口部周縁に沿った所望の位置にほぼ的確に略円孔を配置することができる。
【００２３】
前記複数の孔は、前記開口部周縁からの前記一定距離が１０ｍｍ〜２５ｍｍであるので、開口部周縁がプラスチックフィルムの収縮による厚いプラスチック塊で形成されていることと併せて、開口部に手をかけて持ち運ぶ程度の引っ張り力では、開口部周縁に亀裂を生じさせることがない。
【００２４】
前記複数の孔は、孔径を０．５ｍｍ〜５ｍｍとすることにより、持ち運び時の引っ張り力よりも大きな引っ張り力を開口部に作用させることでプラスチックフィルムを容易に剥ぐことができる。
【００２５】
前記複数の孔は、隣接する孔相互の間隔を５ｍｍ〜５０ｍｍとすることにより、従来品のように隣接する孔が連通して開包前に意図せずに裂けてしまうことがない。
【００２６】
前記複数の孔は少なくとも３つ設けられるので、プラスチックフィルムを剥離する際に、物品の側面の開口部にかける手が片手の場合と両手の場合との両方に対応することができる。すなわち、一側面の開口部に片手をかけて剥ぐ場合は、かけた片手の両脇に一つずつ計２つの孔が配置されていれば、ワンステップで物品上面のフィルムを全面に亘り剥ぐことができ、一側面の開口部に両手をかけて剥ぐ場合は、ほぼ真上の孔が一つあれば、ワンステップで物品上面のフィルムの中央を他側面近くまで物品の全長に亘り裂くことができる。
【００２７】
前記プラスチックフィルムは軟質プラスチックであるので、伸縮性ある材質による剥離性の向上したシュリンク包装体を提供することができる。
【図面の簡単な説明】
【００２８】
【図１】本発明を実施するための一形態を示し、シュリンク包装体の斜視図である。
【図２】（ａ）はシュリンク包装体の側面図、（ｂ）は開口部に手をかけて持ち上げたときのプラスチックフィルムの状態を示すシュリンク包装体の側面図である。
【図３】（ａ）はプラスチックフィルムを開口部に手をかけて剥いだときの操作初期の状態を示すシュリンク包装体の側面図、（ｂ）はプラスチックフィルムを物品上面まで剥いだ状態を示すシュリンク包装体の側面図である。
【図４】シュリンク前のプラスチックフィルムにスリットを穿設する切り込み工程を示すフィルムの流れの下流側からの概略斜視図である。
【図５】シュリンク包装の作業工程の概略を示し、（ａ）は物品を上下のプラスチックフィルムによってスリーブ包装する工程の斜視図、（ｂ）はスリーブ包装された物品がシュリンクトンネルを通過する工程を側方から視た図、（ｃ）は物品をシュリンク包装した後のシュリンク包装体の斜視図である。
【図６】開口部周縁から孔までの距離と剥ぐのに必要な力との関係を温度層別に表した棒グラフである。
【図７】同様に、開口部周縁から孔までの距離と剥ぐのに必要な力との関係を温度層別に表した折れ線グラフである。
【図８】シュリンク包装体を開口部に手をかけて持ち上げた高さと、開口部周縁にかかる負荷との関係を表したグラフである。
【図９】（ａ）はシュリンク包装前のプラスチックフィルム１に切込まれたスリット４′の拡大図、（ｂ）はシュリンク包装時に開口部３が引っ張られたときに変形した孔４の拡大図である。
【発明を実施するための形態】
【００２９】
以下、図面を参照して本発明の実施の一形態を詳細に説明する。
本発明に係るシュリンク包装体Ａは、図１に示すように、六面を有する物品Ｐの、プラスチックフィルム１の延出方向Ｘを基準とする前面、上面、後面及び下面の各面が全面に亘ってプラスチックフィルム１で覆われており、両側面だけは略中央に開口部が形成されており開口部の周囲のみがプラスチックフィルム１で部分的に覆われている。
なお、この実施形態においては、プラスチックフィルム１を上下２枚（１ａ，１ｂ）のフィルムからなるものとして説明するが、本発明は、下側フィルム１ｂが包装前の物品Ｐの前方で上方に立ち上がり、包装後の物品Ｐの前面、上面、後面及び下面の各面を全面に亘って覆うように巻きつけられる１枚のプラスチックフィルムを使用するものも含むものとする。
【００３０】
包装前の物品Ｐをシュリンク包装する工程を図５に示す。
図５（ａ）に示すように、プラスチックフィルム１は、上側フィルム１ａと下側フィルム１ｂとの上下２枚の第１の幅Ｗ１を有する長尺のプラスチックフィルムによって構成される。包装される物品Ｐは、フィルム１ａ，１ｂ間に上下から挟み込まれた状態でフィルムの第１の幅Ｗ１より狭い第２の幅Ｗ２を有する。フィルム１ａ，１ｂは、不図示のヒートシールバーにより、両フィルム１ａ，１ｂの延出方向を基準として前端部同士、後端部同士がヒートシールされてヒートシール線２（図５（ｃ）参照）に沿って接合される。これにより、包装後の物品Ｐには、フィルム１ａ，１ｂの延出方向Ｘを基準として前面、上面、後面及び下面にフィルム１ａ，１ｂが巻きつけられて、いわゆるスリーブ包装される。
【００３１】
図５（ｂ）に示すように、スリーブ包装された物品Ｐは、コンベアＲによって搬送され、コンベアＲの下流側に配したシュリンクトンネルＱを通過する。シュリンクトンネルＱ内で約１２０℃〜１５０℃の熱風を１５秒〜２５秒の間物品Ｐにあてると、プラスチックフィルム１ａ，１ｂが約―３０％の寸法変化率で熱収縮し、物品Ｐがシュリンク包装される。このとき、フィルム１ａ，１ｂの各幅方向両側の物品Ｐに巻きつけられずに側方に張り出した部分は、当該側面の略中央にフィルム１ａ，１ｂの側縁により囲まれた開口部３を形成すると同時に、物品Ｐの両側面の外周部分を部分的に包み込むように覆う。このようにして形成されたシュリンク包装体Ａを図５（ｃ）に示す。
【００３２】
上記プラスチックフィルムの素材としては、伸縮性のある軟質プラスチックであれば使用可能であるが、低密度ポリエチレン（ＬＤＰＥ）、直鎖状低密度ポリエチレン（ＬＬＤＰＥ）等の軟質ポリエチレンが好適である。２０μ〜６０μ程度の厚みの延伸フィルム（薄膜）状の低密度ポリエチレン（ＬＤＰＥ）の場合、約１２０℃〜１５０℃の温度でシュリンク処理したときの寸法変化率は―３０％程度である。
【００３３】
図２（ａ）に示すように、物品Ｐの各側面において、ヒートシール線２より上側のシュリンク包装体１には、開口部３の周縁に沿って、かつ該開口部周縁から一定距離を置いて複数の孔４が等間隔で設けられている。
これら複数の孔４は、シュリンク包装前にプラスチックフィルム１ａの側縁に沿って一列に、かつプラスチックフィルム１ａの側縁と直交する方向に長さを有するように切込まれた複数のスリット４‘がシュリンク包装時にプラスチックフィルムの熱収縮に対する内部応力により略円孔形状になり、開口部３周縁に沿って放射状に配置されたものである。なお、シュリンク包装前におけるスリット４′の形成については、図４を参照して後述する。
【００３４】
以上のように物品Ｐの各側面において、開口部３の周縁に沿って設けられた複数の孔の作用について説明する。
シュリンク包装された物品Ｐを搬送するとき、すなわち、図２（ｂ）に示すように、開口部３に手をかけて物品Ｐを持ち上げて運ぶとき、引っ張り力Ｆが開口部３の上半部のプラスチックフィルム１に作用する。しかし、開口部３周縁は、シュリンク収縮工程における開口部方向からの内部応力が小さいことから他の箇所と比べて収縮が大きく、厚く硬くなるため、また、複数の孔４は開口部３の周縁から一定距離を置いて配置されているため、開口部周縁は強度が高い。したがって、複数の孔４を開口部３周縁から一定距離を置いて配設することにより、開口部３周縁からの距離、孔径、孔間隔、プラスチックフィルムの材質、厚さ、等を適切に選択すれば、搬送時の引っ張り力Ｆによりプラスチックフィルム１の開口部周縁が意図せずに裂かれることがなく、孔４が開口部３に手をかけて行われるシュリンク包装体Ａの移動運搬作業時の障害となることはない。
【００３５】
プラスチックフィルム１を物品Ｐから引き剥がすときには、シュリンク包装体Ａを持ち上げて運ぶときの引っ張り力Ｆよりも大きな引張り力Ｆ′（＞Ｆ）が開口部３の上半部のプラスチックフィルム１に作用する。この大きな引張り力Ｆ′の作用により、以下の経過を辿ってプラスチックフィルム１が裂ける。まず、図２（ｂ）に示されるように、開口部３にかけた手指Ｈの両脇に位置する二つの孔４が、開口部３周縁近傍のプラスチックフィルム１に生じる皺に沿って略斜め上下に引っ張られて略楕円形状に変形する（図９（ｂ）参照）。すると、この二つの略楕円形状に変形した孔４の上下両端（図９（ｂ）中“ｃ”，“ｄ”）の中間部で開口部３に最も近い部分（図９（ｂ）中“ｂ”）が裂ける。この略楕円形状に変形した孔４の上下両端（図９（ｂ）中“ｃ”，“ｄ”）の中間部（図９（ｂ）中“ａ”，“ｂ”）は、シュリンク前に上側フィルム１ａに切込まれたスリット４′の両端（図９（ａ）中“ａ′”，“ｂ′”）に相当する。孔４の裂け目は、図中Ｔ１で示す方向に、開口部３に向かって直線的に延び、ついには図３（ａ）に示すように、開口部３の周縁を破断する。ここで、手指Ｈの中に残った開口部周縁の一部を持ってそのまま上に引っ張り上げると、手指Ｈの両脇に位置し、皺に沿って引っ張られて細長の二つの略楕円形状に変形した孔４の両端（図９（ｂ）中“ｃ”，“ｄ”）の中間で開口部３に最も遠い部分（図９（ｂ）中“ｂ”）を起点として図中Ｔ２で示す方向に延び、二列のプラスチックフィルム１の裂け目が物品Ｐの側面から境界を経て上面に広がる。このように、図３（ｂ）に示す如く、本発明による開口部３から一定距離を置いて配置される孔４は、上面の全てのプラスチックフィルム１をほとんど一回の操作で除去することを可能にし、物品Ｐの上面側を片手で容易に開包することに大きく寄与するものである。なお、図３（ａ）、（ｂ）において、分かり易く図示する都合上、手指Ｈを省略している。
【００３６】
次に、本実施形態における孔４を巡る各種寸法及び配置構成について説明する。
孔径：
上記したように、これらの複数の孔４は、シュリンク包装前にプラスチックフィルム１ａの側縁に沿って切り込まれたスリット４′が、シュリンク包装時にプラスチックフィルムの熱収縮に対する内部応力により略円孔形状となり、開口部３周縁に沿って放射状に配置されたものである。これら孔４のシュリンク前のスリット４′の長さは０．５ｍｍ〜５ｍｍ、好ましくは１ｍｍ〜３ｍｍである。この長さはシュリンク後も殆んど変わらず、孔４の孔径とほぼ等しい。孔の径が０．５ｍｍより小さいと、孔径が０．５ｍｍに満たないと孔４を設けた意味がなくなり、開口部３に手をかけてシュリンク包装体１を引き裂くときに、孔を包装体が裂ける起点とすることが困難となる。また、孔の径が５ｍｍより大きいと、孔４の一部が物品Ｐの上面との境界にかかってしまう恐れがでてくる。
【００３７】
開口部周縁から孔までの距離（ｄ）：
本実施例においては、物品Ｐの側面において、開口部３の周囲を覆うプラスチックフィルム１の、物品Ｐの上面と境界から開口部３周縁までの距離（Ｄ）を約３０ｍｍとしている。この場合、開口部３の周縁から孔４までの距離（ｄ）は１０ｍｍ〜２５ｍｍとすることが好ましい。そのために、シュリンク前において、物品に巻きつけられるプラスチックフィルム１ａの物品側方への突出量を約４０ｍｍとし、複数のスリット４′の切り込み位置をプラスチックフィルム１ａの側縁から約１５ｍｍ〜３５ｍｍ内側の位置とする。こうすることにより、シュリンク後における、物品Ｐの上面と境界から開口部３周縁までの距離（Ｄ）及び開口部３の周縁から孔４までの距離（ｄ）はフィルムの熱収縮により若干短くなり、それぞれを約３０ｍｍ及び１０ｍｍ〜２５ｍｍとすることができる。このシュリンク前後の距離（Ｄ、ｄ）の変化は、シュリンク時の寸法変化率がー３０％の平均的低密度ポリエチレン（ＬＤＰＥ）からなるプラスチックフィルム１ａ，１ｂを使用した場合のものである。孔４と開口部３の周縁までの距離（ｄ）が１０ｍｍに満たないと、開口部３周縁の強度が損なわれ、例えば、開口部３に片手をかけて物品Ｐを搬送するときの比較的弱い引っ張り力Ｆにより、開口部３周縁に配置された孔４が裂けて開口部３周縁に裂け目が伝播し、プラスチックフィルム１が意図せずに裂かれてしまう恐れがある。逆にこの距離（ｄ）が約２５ｍｍを超えると、孔４により開口部３周縁の強度を適度に低下させることができず、プラスチックフィルム１を一回の操作で容易に除去することが難しくなる。
【００３８】
孔間隔（ｓ）：
開口部３周縁に沿って隣接する孔４相互の間隔（ｓ）については、５〜５０ｍｍとすることが好ましい。５ｍｍを下回ると、意図せずに孔４同士が連通乃至連結して孔が拡大してしまうおそれがある。孔４サイズのばらつきをも考慮して孔４同士の間隔は最低５ｍｍ必要である。また、孔４相互の間隔（ｓ）が５０ｍｍを超えると、開口部３に手をかけてシュリンク包装体１を引き裂くときに、孔４が開包に関与しない箇所に配置される可能性がでてくる。
なお、本実施形態において、開口部３周縁に沿って設ける孔４の数は特に限定されるものではない。しかし、物品Ｐの左右いずれか一方の側面にある開口部３に手をかけて物品Ｐのプラスチックフィルム１を引き剥がす場合、一方の開口部３に片手をかける場合は少なくとも手の両脇に一つずつ計２つの孔４が必要であり、一方の開口部３に両手をかけてプラスチックフィルム１を引き剥がす場合にはほぼ真上に孔４が一つあればよい。この両方の場合に対応可能にするために孔４は少なくとも３つ配置するとよい。孔４を３つにする場合、孔の間隔（ｓ）は約５０ｍｍとし、両側の孔４間の間隔が約１００ｍｍになるようにすれば、開口部３にかけた片手のちょうど両脇に孔４が一つずつ配置されることになる。
【００３９】
次に、以上の実施形態における孔４の形成方法について説明する。
図４に示すように、上側フィルム１ａの幅方向両側縁から所定距離離れた内側に左右一対のカッター歯車１１が配置されている。これらのカッター歯車１１は、上側フィルム１ａに接しており、フィルム１ａが製品の流れの下流側にある後工程によりＸ方向に引き出されることで従動回転し、歯車に設置されたカッター刃がフィルムに喰い込むことで、一列の複数のスリット４′をフィルム１ａの両端側縁に沿って等間隔に形成する。これにより、左右のカッター歯車１１は、同期を必要としない設計となっており、パーツの管理ポイントが少なくなっている。カッター歯車１１には、複数の切り込み用カッター刃１１ａと、カッター刃１１ａ相互間に複数配置された略カマボコ形状の突起１１ｂとが設けられている。切り込み用カッター刃１１ａは、例えば、３個〜４個の突起１１ｂごとに各１個設けてある。突起１１ｂは、受けローラ１２との間にフィルム１ａを挟み付け、フィルム１ａが引き出されることに従って、カッター歯車１１を回転させる。その際、切り込み用カッター刃１１ａが、上側フィルム１ａに切り込みを入れスリット４′を形成する。カッター刃１１ａは、フィルム１ａの側縁の延長方向に対して直交する方向に配向されているため、スリット４′はフィルム１ａの側縁の延長方向に対して直交する方向に長さを有する。
【００４０】
幅方向両側縁に沿ってスリット４′が切り込まれた上側フィルム１ａは、下側フィルム１ｂと共に物品Ｐをシュリンク包装する工程に進む。先に図５（ａ）（ｂ）（ｃ）を参照して説明したところに従いシュリンク包装が行われ、シュリンク包装体Ａを得る。
【００４１】
以下に、図６〜図８を参照して、開口部３の周縁近傍における孔４の配置箇所とプラスチックフィルム１の剥ぎ易さとの関係について行ったテストについて説明する。
テストに使用したプラスチックフィルム１ａ、１ｂは、シュリンク包装前の横幅（図５のＷ１）を４３０ｍｍとし、上側フィルム１ａの幅方向両側縁に沿って長さ２ｍｍのスリット４′を約２５ｍｍの間隔で切り込んだ。上側フィルム１ａは４種類用意し、それぞれスリット４′を設けた位置、即ち上側フィルム１ａの両側縁からの距離を、それぞれ約１５ｍｍ、約２０ｍｍ、約２５ｍｍ、約３０ｍｍと異ならせた。
一方、テストに使用した物品Ｐは、幅（図５のＷ２）３３５ｍｍ、重量約５．３Ｋｇの同一諸元の４個の物品Ｐである。
これら４個の物品を、それぞれ上記４種類の上側フィルム１ａとスリット４′を有しない下側フィルム１ｂによりスリーブ包装した。このとき、それぞれの物品Ｐの両側方にフィルム１ａ、１ｂが約４５ｍｍ突出するようにした。かくて、スリーブ包装した物品Ｐを図５（ｂ）に示されるシュリンクトンネルＱ内でシュリンク包装した。
【００４２】
シュリンク包装によるフィルム収縮の結果、物品Ｐの両側面において、シュリンク包装体Ａの上面との境界から開口部３周縁までの距離（Ｄ）は約３０ｍｍとなった。開口部３周縁に沿って設けた複数の孔の孔径はシュリンク包装前のスリット４′と変わらずに２ｍｍであった。開口部３周縁から孔４までの距離（ｄ）は、上側フィルム１ａの両側縁からスリット４’までの距離に応じて、４種類の物品毎に異なり、それぞれ約１０ｍｍ、約１５ｍｍ、約２０ｍｍ、約２５ｍｍとなった。
このようにして得られた４種類の包装物品Ｐについて、−１０℃、３℃、２１℃、５０℃の異なる温度環境における、開口部３周縁から孔４までの距離（ｄ）とシュリンク包装体Ａのプラスチックフィルム１の剥ぎ易さとの関係を調べた。
【００４３】
このテストの結果、温度環境が高温になればなるほど、また開口部３の周縁からの距離（ｄ）が短くなればなるほど剥ぎ易く、逆に、低温になればなるほど、また距離（ｄ）が長くなればなるほど開口部３周縁の強度が増して破れ難くなることが明確に示された。例えば、３℃の温度条件下では、距離（ｄ）が２０ｍｍあると、少し手指Ｈに負荷が残る７５Ｎ程度の力でちょうどよく剥ぐことができた。距離（ｓ）が２５ｍｍになると、８５Ｎ程度の力が必要となり、負荷が大きくなったが許容範囲と思われた。また、２１℃の温度条件下では、距離（ｓ）が１０ｍｍだと、物品Ｐの運搬時に必要とされる引張強度５０Ｎよりも僅かに大きな力で剥ぐことができ、軽い不安を感じた。以上に基づき、開口部３周縁からの距離（ｄ）は温度条件に応じて調整可能であることを考慮した結果、開口部３周縁からの距離（ｄ）の許容範囲、すなわち、開口部３に手指Ｈをかけて物品を持ち上げて運搬するときには剥けず、意思をもって剥ぎ取るときにだけ剥ぐことができる距離（ｄ）は１０ｍｍ〜２５ｍｍであり、１５ｍｍ〜２０ｍｍがより好ましく、２０ｍｍ前がベストの距離であることが分かった。
【００４４】
なお、テストにおいては、幅（図５のＷ２）３３５ｍｍ、重量約５．３Ｋｇの物品Ｐを使用して上記結果を得たが、物品Ｐの寸法、形状及び重量が異なれば、それに応じて「開口部３に手指Ｈをかけて物品を持ち上げて運搬するときには剥けず、意思をもって剥ぎ取るときにだけ剥ぐことができる、開口部３周縁から孔４までの距離（ｄ）」も変化するものと思われる。しかしながら、そのように変化した距離（ｄ）は、孔４が物品Ｐの側面に設けられたプラスチックフィルム１の開口部３周縁から一定距離を置いて設けられている限りにおいて、本発明に含まれるものである。比較のために、開口部３の周縁から所定距離に孔がないシュリンク包装体Ａを使用して同様のテストを試みたが、１５０Ｎ以上の力をもってしてもプラスチックフィルム１を引裂くことはできなかった。
【００４５】
ところで、このテストに使用されたシュリンク包装体Ａのプラスチックフィルム１に設けられたスリットの長さ即ち孔径は、小さいと外観上の見た目が良いが、２ｍｍ以下では刃の加工に手間がかかり、大幅なコストアップにつながるため、２ｍｍにてテストを行った。このスリットの形成時に、フィルム側縁に対して直交方向に長さを有するスリットをその長さ方向に複数連ならせるべきかどうか、即ち開口部３周縁に沿って放射状に配置される孔を放射方向に複数連ならせるべきかどうかについても検討した。その結果、２つ以上スリットを連ならせると熱収縮時に隣接するスリット（孔）同士が結合して大孔になる可能性を排除できないことが分かった。このため、シュリンク包装前にフィルム側縁に沿って設けるスリットは一定間隔（ｓ）で１つずつとした。シュリンク包装後の剥ぎ易さに関し、開口部３周縁に沿って一定間隔（ｓ）の各位置に設けられる孔の数は一つでも剥き易さは十分に確保された。
【００４６】
なお、開口部３周縁に孔４を設ける包装物品Ｐの側面は、一方の側面だけで十分であるが、開口部３の周囲における孔４の存在が分かり難いため、包装物品Ｐの両側面に設けた方が良い。
【００４７】
図７は、図６と同様の、−１０℃から５０℃に至る異なる保管温度における、開口部３周縁から孔４までの距離（ｄ）と、剥ぐのに必要な力(引張強度：Ｎ)との関係を、折れ線グラフの形で示すものである。これによると、開口部３周縁から孔４までの距離（ｄ）は、−１０℃から５０℃までの広い保管温度範囲に亘って引張強度５０Ｎ〜９５Ｎを保持できる２０ｍｍ前がベストの距離であり、保管温度に応じて距離（ｄ）を調整することを考慮して、１０ｍｍ〜２５ｍｍが許容範囲となる。
【００４８】
図８は、包装物品Ｐを床から持ち上げて運搬するときに、開口部３に手指Ｈをかけた際の持ち上げる高さと開口部３周縁にかかる負荷(引張強度：Ｎ)のテストデータである。このとき、シュリンク包装体Ａのプラスチックフィルム１の開口部３に掛かる力は略引張強度５０Ｎであることが示されている。
【符号の説明】
【００４９】
Ａ シュリンク包装体
Ｐ        物品
Ｑ        シュリンクトンネル
Ｒ        コンベア
Ｈ        手指
１        プラスチックフィルム
１ａ      上側フィルム
１ｂ      下側フィルム
２        ヒートシール線
３        開口部
４        孔
４′      スリット
１１      カッター歯車
１１ａ    カッター刃
１１ｂ    突起
１２      受けローラ
【手続補正３】
【補正対象書類名】図面
【補正対象項目名】全図
【補正方法】変更
【補正の内容】
【図１】
2015003739.tif 000012
【図２】
2015003739.tif 000013
【図３】
2015003739.tif 000014
【図４】
2015003739.tif 000015
【図５】
2015003739.tif 000016
【図９】
2015003739.tif 000017
【図６】
2015003739.tif 000018
【図７】
2015003739.tif 000019
【図８】
2015003739.tif 000020